(57)【要約】  タイヤのタイヤ空気圧状態を示すタイヤ空気圧指示データを判定することと、タイヤのタイヤ空気圧偏差を示すタイヤ空気圧偏差データを判定することとによって、車両のタイヤのタイヤ空気圧偏差を検出するための方法、システム、およびコンピュータ・プログラム製品。
2010521684.tif 000002
【特許請求の範囲】
【請求項１】
車両のタイヤのタイヤ空気圧偏差を検出するタイヤ空気圧間接監視の方法であって、
車両の少なくとも１つのタイヤのタイヤ空気圧状態を示すタイヤ空気圧指示データを判定するステップと、
前記タイヤ空気圧指示データを基礎として前記少なくとも１つのタイヤのタイヤ空気圧偏差状態を示すタイヤ空気圧偏差データを判定するステップと
前記車両の制御および／または監視デバイスによって供給される少なくとも１つの車両データを入手するステップと、
前記少なくとも１つの車両データを基礎として温度補償データを判定するステップと、
温度補償されたタイヤ空気圧偏差データが得られるように、前記温度補償データを基礎として温度補償するステップと
を含む、ことを特徴とするタイヤ空気圧間接監視の方法。
【請求項２】
タイヤ空気圧偏差データを判定する前記ステップが、前記少なくとも１つのタイヤのそれぞれの個々のタイヤ空気圧偏差データを判定する過程を含み、
温度補償する前記ステップが、前記少なくとも１つのタイヤのそれぞれの温度補償されたタイヤ空気圧偏差データが得られるように、前記温度補償データを基礎として前記個々のタイヤ空気圧偏差データのそれぞれに関して温度補償する過程を含む
請求項１に記載の方法。
【請求項３】
タイヤ空気圧偏差データを判定する前記ステップが、前記車両の少なくとも２つのタイヤの相対タイヤ空気圧偏差データを判定する過程を含み、
温度補償する前記ステップが、前記少なくとも２つのタイヤの温度補償されたタイヤ空気圧偏差データを得るために、前記温度補償データを基礎として前記相対タイヤ空気圧偏差データのそれぞれに関して温度補償する過程を含む
前記請求項のうちの一項に記載の方法。
【請求項４】
温度補償データを判定する前記ステップが、少なくとも１つの事前定義の温度状態の特定の温度補償データを判定する少なくとも１つの過程を含み、
温度補償する前記ステップが、前記特定の温度補償データを基礎として前記タイヤ空気圧偏差データを温度補償する過程を含む
前記請求項のうちの一項に記載の方法。
【請求項５】
温度補償する前記ステップが、重み付け関数、乗法的関数、非対称関数、および温度関連適応レートのうちの少なくとも１つを基礎として前記タイヤ空気圧偏差データを温度補償する過程を含む、請求項４に記載の方法。
【請求項６】
前記少なくとも１つの車両データが、
外気温度を示す車両データと、
前記車両のエンジンの温度を示す車両データと、
前記車両のエンジンのエンジン・トルクを示す車両データと、
前記少なくとも１つのタイヤに作用するトルクを示す車両データと、
前記車両のエンジンのエンジン速度を示す車両データと、
前記車両のヨー・レートを示す車両データと、
前記車両の速度を示す車両データと、
前記車両の横加速度および縦加速度のうちの少なくとも１つを示す車両データと、
前記車両のハンドルのハンドル角を示す車両データと、
前記車両の運転状態、特にブレーキング状態を示す車両データと、
前記車両のギア・シフトが進行中であることを示す車両データと、
前記車両のブレーキング・システムが動作しつつあることを示す車両データと、
ブレーキ圧を示す車両データと、
前記車両の少なくとも１つのアクティブ制御デバイスがアクティブであることを示す車両データと
のうちの少なくとも１つを含む、前記請求項のうちの一項に記載の方法。
【請求項７】
前記温度補償データを判定する前記ステップが、
前記少なくとも１つのタイヤの内部タイヤ温度を判定することと、
前記少なくとも１つのタイヤについて有効な車輪スリップを判定することと、
前記少なくとも１つのタイヤについて有効なギア・レシオを判定することと、
前記少なくとも１つのタイヤに作用するトラクション・フォースを判定することと、
前記少なくとも１つの圧力データに影響する道路状態を判定することと、
スノー・チェーンが前記少なくとも１つのタイヤに配置されているかどうかを判定することと、
前記車両のカーブ運転状態を判定することと
のうちの少なくとも１つを含む、前記請求項のうちの一項に記載の方法。
【請求項８】
温度補償する前記ステップが、前記少なくとも１つの車両データに対する温度の影響を補償するために前記温度補償データに基づいて前記少なくとも１つの車両データを温度補償する過程を含む、前記請求項のうちの一項に記載の方法。
【請求項９】
前記少なくとも１つの車両データを温度補償する前記ステップが、前記少なくとも１つの車両データのうちの対応する１つを提供する前記車両の少なくとも１つのデバイスを温度補償する過程を含む、請求項８に記載の方法。
【請求項１０】
前記少なくとも１つの車両データを提供するデバイスを温度補償する前記過程が、
少なくとも１つの温度センサを含む手段と、
少なくとも１つのヨー・レート・センサを含む手段と、
少なくとも１つのトルク・センサを含む手段と、
少なくとも１つの速度センサを含む手段と、
少なくとも１つの加速度センサを含む手段と
のうちの少なくとも１つを温度補償すること
を含む、請求項９に記載の方法。
【請求項１１】
温度補償する前記ステップが、前記温度補償データを基礎として前記タイヤ空気圧指示データを温度補償する過程を含む、前記請求項のうちの一項に記載の方法。
【請求項１２】
タイヤ空気圧指示データを温度補償する前記過程が、タイヤの圧力状態を示す圧力データに対する温度の影響に関する物理的知識および／またはタイヤの圧力状態を示す圧力データに対する温度の影響に関する経験的知識から入手されたルールを使用することによって実行される、請求項１１に記載の方法。
【請求項１３】
温度補償する前記ステップが、前記温度補償データを基礎として前記タイヤ空気圧偏差データ自体を温度補償する過程を含む、前記請求項のうちの一項に記載の方法。
【請求項１４】
前記タイヤ空気圧偏差が少なくとも１つの所定の偏差関連しきい値を超えるかどうかを判定するために、前記タイヤ空気圧偏差データを偏差しきい値データと比較するステップをさらに含む、前記請求項のうちの一項に記載の方法。
【請求項１５】
前記温度補償データを基礎として前記偏差しきい値データを訂正するステップをさらに含む、請求項１４に記載の方法。
【請求項１６】
温度補償が得られるように前記温度補償データを基礎として
前記タイヤ空気圧指示データを判定するステップと、
前記タイヤ空気圧偏差データを判定するステップと、
前記少なくとも１つの車両データを入手するステップと、
前記温度補償データを判定するステップと
のうちの少なくとも１つを制御するステップをさらに含む、前記請求項のうちの一項に記載の方法。
【請求項１７】
前記温度補償データが事前定義の範囲外の温度状態を示す場合に請求項１に記載のステップのうちの少なくとも１つを一時停止し、温度状態が前記事前定義の範囲に戻ることを前記温度補償データが示す場合に請求項１に記載の前記ステップのうちの前記少なくとも１つを再開するステップをさらに含む、前記請求項のうちの一項に記載の方法。
【請求項１８】
車両のタイヤのタイヤ空気圧偏差を検出するタイヤ空気圧間接監視システムであって、
車両の少なくとも１つのタイヤのタイヤ空気圧状態を示すタイヤ空気圧指示データを判定する手段と、
前記タイヤ空気圧指示データを基礎として前記少なくとも１つのタイヤのタイヤ空気圧偏差状態を示すタイヤ空気圧偏差データを判定する手段と
前記車両の制御および／または監視デバイスによって供給される少なくとも１つの車両データを入手する手段と、
前記少なくとも１つの車両データを基礎として温度補償データを判定する手段と、
温度補償されたタイヤ空気圧偏差データが得られるように、前記温度補償データを基礎として温度補償する手段と
を備える、ことを特徴とするシステム。
【請求項１９】
タイヤ空気圧偏差データを判定する前記手段が、前記少なくとも１つのタイヤのそれぞれの個々のタイヤ空気圧偏差データを判定するように構成され、
温度補償する前記手段が、前記少なくとも１つのタイヤのそれぞれの温度補償されたタイヤ空気圧偏差データを得るために、前記温度補償データを基礎として前記個々のタイヤ空気圧偏差データのそれぞれに関して温度補償するように構成される
請求項１８に記載のシステム。
【請求項２０】
タイヤ空気圧偏差データを判定する前記手段が、前記車両の少なくとも２つのタイヤの相対タイヤ空気圧偏差データを判定するように構成され、
温度補償する前記手段が、前記少なくとも２つのタイヤの温度補償されたタイヤ空気圧偏差データを一緒に得るために、前記温度補償データを基礎として各相対タイヤ空気圧偏差データに関して温度補償するように構成される
請求項１８または１９のうちの一項に記載のシステム。
【請求項２１】
温度補償データを判定する前記手段が、少なくとも１つの事前定義の温度状態の特定の温度補償データを判定するように構成され、
温度補償する前記手段が、前記特定の温度補償データを基礎として前記タイヤ空気圧偏差データを温度補償するように構成される
請求項１９から２１のうちの一項に記載のシステム。
【請求項２２】
温度補償する前記手段が、重み付け関数、乗法的関数、非対称関数、および温度関連適応レートのうちの少なくとも１つを基礎として前記タイヤ空気圧偏差データを温度補償するように構成される、請求項２１に記載のシステム。
【請求項２３】
外気温度を示す車両データと、
前記車両のエンジンの温度を示す車両データと、
前記車両のエンジンのエンジン・トルクを示す車両データと、
前記少なくとも１つのタイヤに作用するトルクを示す車両データと、
前記車両のエンジンのエンジン速度を示す車両データと、
前記車両のヨー・レートを示す車両データと、
前記車両の速度を示す車両データと、
前記車両の横加速度および縦加速度のうちの少なくとも１つを示す車両データと、
前記車両のハンドルのハンドル角を示す車両データと、
前記車両の運転状態、特にブレーキング状態を示す車両データと、
前記車両のギア・シフトが進行中であることを示す車両データと、
前記車両のブレーキング・システムが動作しつつあることを示す車両データと、
ブレーキ圧を示す車両データと、
前記車両の少なくとも１つのアクティブ制御デバイスがアクティブであることを示す車両データと
のうちの少なくとも１つを前記少なくとも１つの車両データとして入手する少なくとも１つの入力をさらに含む、
請求項１８から２２のうちの一項に記載のシステム。
【請求項２４】
前記温度補償データを判定する前記手段が、
前記少なくとも１つのタイヤの内部タイヤ温度を判定することと、
前記少なくとも１つのタイヤについて有効な車輪スリップを判定することと、
前記少なくとも１つのタイヤについて有効なギア・レシオを判定することと、
前記少なくとも１つのタイヤに作用するトラクション・フォースを判定することと、
前記少なくとも１つの圧力データに影響する道路状態を判定することと、
スノー・チェーンが前記少なくとも１つのタイヤに配置されているかどうかを判定することと、
前記車両のカーブ運転状態を判定することと
のうちの少なくとも１つを行うように構成される、請求項１８から２３のうちの一項に記載のシステム。
【請求項２５】
温度補償する前記手段が、前記少なくとも１つの車両データに対する温度の影響を補償するために前記温度補償データに基づいて前記少なくとも１つの車両データを温度補償するように構成される、請求項１８から２４のうちの一項に記載のシステム。
【請求項２６】
前記少なくとも１つの車両データを温度補償する前記手段が、前記少なくとも１つの車両データのうちの対応する１つを提供する前記車両の少なくとも１つのデバイスを温度補償するように構成される、請求項２５に記載のシステム。
【請求項２７】
前記少なくとも１つの車両データを提供するデバイスを温度補償する前記手段が、
少なくとも１つの温度センサを含む手段と、
少なくとも１つのヨー・レート・センサを含む手段と、
少なくとも１つのトルク・センサを含む手段と、
少なくとも１つの速度センサを含む手段と、
少なくとも１つの加速度センサを含む手段と
のうちの少なくとも１つを温度補償するように構成される、請求項２６に記載のシステム。
【請求項２８】
温度補償する前記手段が、前記温度補償データを基礎として前記タイヤ空気圧指示データを温度補償するように構成される、請求項１８から２７のうちの一項に記載のシステム。
【請求項２９】
前記タイヤ空気圧指示データを訂正する手段が、タイヤの圧力状態を示す圧力データに対する温度の影響に関する物理的知識および／またはタイヤの圧力状態を示す圧力データに対する温度の影響に関する経験的知識から入手されたルールを使用することによって前記タイヤ空気圧指示データを訂正するように構成される、請求項２８に記載のシステム。
【請求項３０】
温度補償する前記手段が、前記温度補償データを基礎として前記タイヤ空気圧偏差データ自体を温度補償するように構成される、請求項１８から２９のうちの一項に記載のシステム。
【請求項３１】
前記タイヤ空気圧偏差データを偏差しきい値データと比較し、前記比較結果に基づいて前記タイヤ空気圧偏差状態が少なくとも１つの所定の偏差関連しきい値を超えるかどうかを判定する手段をさらに含む、請求項１８から３０のうちの一項に記載のシステム。
【請求項３２】
前記温度補償データを基礎として前記偏差しきい値データを訂正する手段をさらに含む、請求項３１に記載のシステム。
【請求項３３】
それに関して温度補償を達成するために前記温度補償データを基礎として
前記タイヤ空気圧指示データを判定する手段と、
前記タイヤ空気圧偏差データを判定する手段と、
前記少なくとも１つの車両データを入手する手段と、
前記温度補償データを判定する手段と
のうちの少なくとも１つを少なくとも部分的に制御する訂正制御手段をさらに含む、請求項１８から３２のうちの一項に記載のシステム。
【請求項３４】
前記温度補償データが事前定義の範囲外の温度状態を示す場合に請求項１９に記載の手段のうちの少なくとも１つをディスエーブルし、温度状態が前記事前定義の範囲に戻ることを前記温度補償データが示す場合に請求項１９に記載の前記手段のうちの前記少なくとも１つをイネーブルする手段をさらに含む、請求項１８から３３のうちの一項に記載のシステム。
【請求項３５】
車両のタイヤのタイヤ空気圧偏差を検出するタイヤ空気圧間接監視のためのコンピュータ・プログラム製品であって、処理システム上で実行されると、
車両の少なくとも１つのタイヤのタイヤ空気圧状態を示すタイヤ空気圧指示データを判定するステップと、
前記タイヤ空気圧指示データを基礎として前記少なくとも１つのタイヤのタイヤ空気圧偏差状態を示すタイヤ空気圧偏差データを判定するステップと
前記車両の制御および／または監視デバイスによって供給される少なくとも１つの車両データを入手するステップと、
前記少なくとも１つの車両データを基礎として温度補償データを判定するステップと、
温度補償されたタイヤ空気圧偏差データが得られるように、前記温度補償データを基礎として温度補償するステップと
を実行するプログラム・コードを含む、ことを特徴とするコンピュータ・プログラム製品。
【請求項３６】
処理システム上で実行されると、請求項２から１６のうちの少なくとも一項のステップを実行するプログラム・コードをさらに含む、請求項３５に記載のコンピュータ・プログラム製品。
【請求項３７】
コンピュータ可読記憶媒体上またはコンピュータ可読記憶デバイス内に格納された、請求項３５または３６に記載のコンピュータ・プログラム製品。
【発明の詳細な説明】
【技術分野】
【０００１】
本発明は、タイヤのタイヤ空気圧状態を示すタイヤ空気圧データを判定することと、タイヤのタイヤ空気圧偏差の状態を示すタイヤ空気圧偏差データを判定することとによって、車両のタイヤのタイヤ空気圧偏差を検出する、タイヤ空気圧間接監視の方法、システム、およびコンピュータ・プログラム製品を対象とする。
【背景技術】
【０００２】
タイヤ空気圧の監視は、政府規制および法的規制に起因するだけではなく、高められた車両安全性に関する一般的需要を考慮しても、車両において、少なくとも自動車およびトラックにおいて標準的な機能になると想定することができる。
【０００３】
一般に、タイヤ空気圧監視は、直接におよび間接に達成することができる。
【０００４】
タイヤ空気圧直接監視では、車両タイヤの現在圧力が、例えばタイヤの内側に配置されたセンサによって、直接に測定される。タイヤ空気圧直接監視の例が、例えば米国特許第７，１１１，５０７Ｂ２号に記載されている。
【０００５】
タイヤ空気圧間接監視は、直接に入手される圧力値とは異なって、タイヤ空気圧に多少関連する情報を使用する。一般に、そのような情報は、デジタルおよび／またはアナログのデータおよび／または信号の形で、ＥＣＵ（電子制御ユニット）、アンチロック・ブレーキング・システム、ダイナミック・スタビリティ・システム（ｄｙｎａｍｉｃ  ｓｔａｂｉｌｉｔｙ  ｓｙｓｔｅｍ）、アンチスピン・システム（ａｎｔｉ−ｓｐｉｎ  ｓｙｓｔｅｍ）、およびトラクション・コントロール・システムなど、車両のさらなる制御デバイスおよび／または検出デバイスによって供給され得る。この情報は、それぞれタイヤまたはその車輪の回転速度または角速度を含むことができ、この情報は、その後、タイヤ空気圧を表す値を計算しまたは推定するための基礎として使用される。タイヤ空気圧間接監視の例が、例えばＤＥ１０３  ６０  ７２３Ａ１に記載されている。
【０００６】
特にタイヤ空気圧間接監視は、圧力関連情報からタイヤ空気圧を導出するために複雑な計算を必要とする。さらに、圧力関連情報とタイヤ空気圧との間の関係は、現在の運転状況および道路状態などの外部の影響を受けやすい。そのような影響のさらなる例が、温度状態である。
【０００７】
例えば、米国特許第７，１１１，５０７Ｂ２号によるタイヤ空気圧間接監視では、タイヤ内に配置されたタイヤ空気圧センサが、現在のタイヤ空気圧を感知し、それを基礎として、タイヤ空気圧値が判定される。温度変動が、タイヤ空気圧値の望まれない変動につながり得る。温度の影響を考慮に入れるために、タイヤの内側の温度補償された気体温度が、温度情報を基礎として判定される。タイヤ内の温度補償された気体温度は、温度補償されたタイヤ空気圧値を判定するのに使用される。
【０００８】
ＤＥ１０３  ６０  ７２３Ａ１によるタイヤ空気圧間接監視では、圧力関連情報から導出されたタイヤ空気圧値は、外気温度またはタイヤ温度を基礎として温度補償される。
【０００９】
両方の場合で、温度補償は、実際のタイヤ空気圧に関する不正な証拠につながる場合がある。
【先行技術文献】
【特許文献】
【００１０】
【特許文献１】米国特許第７，１１１，５０７Ｂ２
【特許文献２】ドイツ特許公開ＤＥ１０３  ６０  ７２３Ａ１
【特許文献３】ＷＯ  ２００５／００５９９３Ａ１
【発明の概要】
【発明が解決しようとする課題】
【００１１】
本発明の目的は、従来技術の温度補償の欠点を克服し、特に、結果のタイヤ空気圧指示情報が、少なくとも本質的に実際の優勢なタイヤ空気圧に対応するように、タイヤ空気圧間接監視を改善する手段を提供することである。
【課題を解決するための手段】
【００１２】
上の目的を解決するために、本発明は、独立請求項で定義される方法、システム、およびコンピュータ・プログラム製品を提供する。
【００１３】
第１の態様によれば、本発明は、
−  車両の少なくとも１つのタイヤのタイヤ空気圧状態を示すタイヤ空気圧指示データを判定するステップと、
−  そのタイヤ空気圧指示データを基礎として少なくとも１つのタイヤのタイヤ空気圧偏差状態を示すタイヤ空気圧偏差データを判定するステップと、
−  車両の制御および／または監視デバイスによって供給される少なくとも１つの車両データを入手するステップと、
−  その少なくとも１つの車両データを基礎として温度補償データを判定するステップと、
−  温度補償されたタイヤ空気圧偏差データが得られるように、温度補償データを基礎として温度補償するステップと
を含む、車両のタイヤ（１つまたは複数）のタイヤ空気圧偏差を検出するタイヤ空気圧間接監視方法を提供する。
【００１４】
もう１つの態様によれば、本発明は、
−  車両の少なくとも１つのタイヤのタイヤ空気圧状態を示すタイヤ空気圧指示データを判定する手段と、
−  そのタイヤ空気圧指示データを基礎として少なくとも１つのタイヤのタイヤ空気圧偏差状態を示すタイヤ空気圧偏差データを判定する手段と、
−  車両の制御および／または監視デバイスによって供給される少なくとも１つの車両データを入手する手段と、
−  その少なくとも１つの車両データを基礎として温度補償データを判定する手段と、
−  温度補償されたタイヤ空気圧偏差データが得られるように、温度補償データを基礎として温度補償する手段と
を含む、車両のタイヤ（１つまたは複数）のタイヤ空気圧偏差を検出するタイヤ空気圧間接監視システムを提供する。
【００１５】
さらなる態様によれば、本発明は、処理システム上で実行されたときに、
−  車両の少なくとも１つのタイヤのタイヤ空気圧状態を示すタイヤ空気圧指示データを判定するステップと、
−  そのタイヤ空気圧指示データを基礎として少なくとも１つのタイヤのタイヤ空気圧偏差状態を示すタイヤ空気圧偏差データを判定するステップと、
−  車両の制御および／または監視デバイスによって供給される少なくとも１つの車両データを入手するステップと、
−  その少なくとも１つの車両データを基礎として温度補償データを判定するステップと、
−  温度補償されたタイヤ空気圧偏差データが得られるように、温度補償データを基礎として温度補償するステップと
を実行するプログラム・コードを含む、車両のタイヤ（１つまたは複数）のタイヤ空気圧偏差を検出するタイヤ空気圧間接監視のためのコンピュータ・プログラム製品を提供する。
【００１６】
本発明のさらなる態様、特徴、および利益は、下の説明、添付図面、および添付の特許請求の範囲から明白になる。
【００１７】
本発明の実施形態を、これから、例として、添付図面を参照して説明する。
【図面の簡単な説明】
【００１８】
【図１】本発明の実施形態による原理システム配置を概略的に示す図である。
【図２】本発明の実施形態によるタイヤ空気圧偏差データの判定ならびに温度補償データ判定および温度補償のユニットを概略的に示す図である。
【発明を実施するための形態】
【００１９】
図１に、特にタイヤ空気圧間接監視を使用するタイヤ空気圧偏差（ＴＰＤ）警告システム２の形の、本発明による原理システム配置を概略的に示す。
【００２０】
本発明は、少なくとも１つのタイヤを装着された少なくとも１つの車輪を有するすべての種類の車両での使用のために提供される。用語「車両」は、本明細書で使用されるときに、自動車、バイク、トラック、トレイラ、および類似物など、その情報を基礎としてタイヤ空気圧間接監視が可能である、すべてのタイプの車両を含む。
【００２１】
タイヤの「圧力偏差」は、タイヤについて実際に判定されるタイヤ空気圧が、正常な／事前定義の／所望のタイヤ空気圧と異なるおよび／または所定のしきい値だけ１つまたは複数の他のタイヤの圧力と異なる場合に検出され得る。
【００２２】
しかし、図面の説明を続ける前に、本発明のさらなる態様へのいくつかのさらなる観察を与える。本発明の方法関連態様へのより詳細な観察は、明示的に注記されない場合であっても、本発明の対応するシステム関連態様およびコンピュータ・プログラム関連態様にもあてはまる。
【００２３】
本発明の方法は、
−  タイヤ空気圧偏差データを判定するステップが、少なくとも１つのタイヤのそれぞれの個々のタイヤ空気圧偏差データを判定する過程を含み、
−  温度補償するステップが、少なくとも１つのタイヤのそれぞれの温度補償されたタイヤ空気圧偏差データを別々に得るために、個々のタイヤ空気圧偏差データのそれぞれに関して実行される
ことを含むことができる。
【００２４】
そのような実施形態は、例えば、車両および／または使用されるタイヤ空気圧監視手段が、それぞれ、個々のタイヤの絶対圧力に関する情報を供給し、計算する場合に適用可能である。そのような場合の例が、車輪スペクトル分析を使用する、下で説明する実施形態である。
【００２５】
本発明の方法は、
−  タイヤ空気圧偏差データを判定するステップが、車両の少なくとも２つのタイヤの相対タイヤ空気圧偏差データを判定する過程を含み、
−  温度補償するステップが、少なくとも２つのタイヤの温度補償されたタイヤ空気圧偏差データを得るために、少なくとも１つの相対タイヤ空気圧偏差データのそれぞれに関して実行される
ことを含むことができる。
【００２６】
そのような実施形態は、例えば、車両および／または使用されるタイヤ空気圧監視手段が、それぞれ、タイヤの相対圧力に関する情報を供給し、計算する場合に適用可能である。相対タイヤ空気圧に関する情報を、上の絶対タイヤ空気圧に関する情報に基づくものとすることができることに留意されたい。そのような場合の例が、車輪半径分析を使用する、下で説明する実施形態である。
【００２７】
さらに、例えばその内容全体が参照によって本開示に組み込まれているＷＯ２００５／００５９９３Ａ１に開示されたものなど、相関分析を基礎として（個々の）タイヤ空気圧偏差データを生成することが企図されている。
【００２８】
本発明の方法は、
−  温度補償データを判定するステップが、少なくとも１つの事前定義の温度状態の特定の温度補償データを判定する少なくとも１つの過程を含み、
−  温度補償するステップが、特定の温度補償データを基礎として特定温度補償するステップを含む
ことを含むことができる。
【００２９】
そのような実施形態は、例えば、少なくとも１つの車両データ、それぞれの信号を供給する車両デバイス、圧力指示データを判定するステップ、タイヤ空気圧偏差データを判定するステップ、温度補償データを判定するステップ、温度補償のステップ、および／またはそのようなステップを実行するのに使用される手段が、温度依存特性を有する場合があることを考慮に入れることを可能にし、この温度依存特性は、温度依存温度補償を必要とする場合がある。これの例が、車両データ、車両データ供給ユニット、タイヤ空気圧指示データの判定、および／またはタイヤ空気圧偏差データの判定が温度依存性能（１つまたは複数）を有する場合がある、下で説明する実施形態である。
【００３０】
ここで、温度補償するステップが、重み付け関数、乗法的関数、非対称関数、および温度関連適応レートのうちの少なくとも１つを基礎としてタイヤ空気圧偏差データを特定温度補償する過程を含むことが可能である。
【００３１】
本発明の方法は、少なくとも１つの車両データが、
−  外気温度を示す車両データと、
−  車両のエンジンの温度を示す車両データと、
−  車両のエンジンのエンジン・トルクを示す車両データと、
−  少なくとも１つのタイヤに作用するトルクを示す車両データと、
−  車両のエンジンのエンジン速度を示す車両データと、
−  車両のヨー・レートを示す車両データと、
−  車両の速度を示す車両データと、
−  車両の横加速度および縦加速度のうちの少なくとも１つを示す車両データと、
−  車両のハンドルのハンドル角を示す車両データと、
−  車両の運転状態、特にブレーキング状態を示す車両データと、
−  車両のギア・シフトが進行中であることを示す車両データと、
−  車両のブレーキング・システムが動作しつつあることを示す車両データ（例えば、ブレーキ・アクティブ・フラグ）と、
−  ブレーキ圧を示す車両データと、
−  車両の少なくとも１つのアクティブ制御デバイスがアクティブであることを示す車両データと
のうちの少なくとも１つを含むことを含むことができる。
【００３２】
本発明の方法は、温度補償データを判定するステップが、
−  少なくとも１つのタイヤの内部タイヤ温度を判定することと、
−  少なくとも１つのタイヤについて有効な車輪スリップを判定することと、
−  少なくとも１つのタイヤについて有効なギア・レシオを判定することと、
−  少なくとも１つのタイヤに作用するトラクション・フォースを判定することと、
−  少なくとも１つの圧力データに影響する道路状態を判定することと、
−  スノー・チェーンが少なくとも１つのタイヤに配置されているかどうかを判定することと、
−  車両のカーブ運転状態を判定することと
のうちの少なくとも１つを含むことを含むことができる。
【００３３】
本発明の方法は、温度補償するステップが、少なくとも１つの車両データに対する温度の影響を補償するために温度補償データに基づいて少なくとも１つの車両データを温度補償する過程を含むことを含むことができる。
【００３４】
そのような実施形態では、少なくとも、少なくとも１つの車両データに影響する温度影響自体を、直接に温度補償することができる。
【００３５】
本発明の方法は、少なくとも１つの車両データを温度補償するステップが、少なくとも１つの車両データのうちの対応する１つを提供する車両の少なくとも１つのデバイスを温度補償する過程を含むことを含むことができる。
【００３６】
これらの実施形態は、少なくとも、車両データ・デバイス（１つまたは複数）に影響する温度影響を補償することを可能にし、これによって、少なくとも１つの車両データを、間接に温度補償することができる。
【００３７】
さらに、ここで、少なくとも１つの車両データを提供するデバイスを温度補償する過程が、
−  少なくとも１つの温度センサを含む手段と、
−  少なくとも１つのヨー・レート・センサを含む手段と、
−  少なくとも１つのトルク・センサを含む手段と、
−  少なくとも１つの速度センサを含む手段と、
−  少なくとも１つの加速度センサを含む手段と
のうちの少なくとも１つを温度補償することを含む、ことが可能である。
【００３８】
センサは、１つまたは複数の別々のセンサ・ユニットを含むことができ、ここで、センサ・ユニットを、ハードウェア・ベースまたはソフトウェア・ベースあるいはその組合せとすることができる。
【００３９】
本発明の方法は、温度補償するステップが、温度補償データを基礎としてタイヤ空気圧指示データを温度補償する過程を含むことを含むことができる。
【００４０】
そのような実施形態は、例えば、下でさらに説明するように、タイヤ空気圧指示データから導出された車輪／タイヤ半径および／またはスペクトルを温度補償することを含むことができる。
【００４１】
ここで、タイヤ空気圧指示データを温度補償するステップが、タイヤの圧力状態を示す圧力データに対する温度の影響に関する物理的知識および／またはタイヤの圧力状態を示す圧力データに対する温度の影響に関する経験的知識から入手されたルールを使用することによって実行されることが可能である。
【００４２】
そのような事例は、例えば、内部および／または外部温度変動にさらされるタイヤから生じる効果を考慮に入れ（例えば、「タイヤがより暖かく／冷たくなるときに何が起きるか」）、かつ／あるいは温度関連特性を有する手段（例えば、センサ、信号、ユニット）と異なる温度状態との間の依存性の統計分析を使用することを可能にする。
【００４３】
本発明の方法は、温度補償するステップが、温度補償データを基礎としてタイヤ空気圧偏差データ自体を温度補償する過程を含むことを含むことができる。
【００４４】
そのような実施形態は、タイヤ空気圧偏差データ自体の温度だけに頼ることができる。そのような実施形態は、さらに、上で説明した温度補償のうちの少なくとも１つを含むことができ、おそらくは、機能強化され、より信頼性があり、および／または正しい温度補償を、したがってタイヤ空気圧の監視をもたらすことができる。
【００４５】
本発明の方法は、タイヤ空気圧偏差状態が少なくとも１つの事前定義の偏差関連しきい値を超えるかどうかを判定するために、タイヤ空気圧偏差データを偏差しきい値データと比較するステップをさらに含むことができる。
【００４６】
この種類の実施形態は、例えば、タイヤ空気圧偏差データが、タイヤ空気圧偏差が大きい、許容できない、または類似物であることを示すかどうかを確かめる手段（１つまたは複数）を提供する。
【００４７】
ここで、本発明の方法は、温度補償データを基礎として偏差しきい値データを訂正するステップをさらに含むことができる。
【００４８】
そのような実施形態は、偏差しきい値データが温度補償（も）され得る温度依存性を有する場合もあることを考慮したものである。さらに、ある種の（例えば、過度の）温度状態（１つまたは複数）で、タイヤ空気圧および／またはタイヤ空気圧偏差に関する信頼できる表明が（それでも）可能であるように、実際の温度状態（１つまたは複数）に依存して偏差しきい値データを変更することが有益である場合がある。
【００４９】
本発明の方法は、温度補償が達成されるように温度補償データを基礎として
−  タイヤ空気圧指示データを判定するステップと、
−  タイヤ空気圧偏差データを判定するステップと、
−  少なくとも１つの車両データを入手するステップと、
−  温度補償データを判定するステップと
のうちの少なくとも１つを制御するステップをさらに含むことができる。
【００５０】
本発明の方法は、温度補償データが事前定義の範囲外の温度状態を示す場合にタイヤ空気圧指示データを判定するステップと、タイヤ空気圧偏差データを判定するステップと、少なくとも１つの車両データを入手するステップと、温度補償データを判定するステップと、温度補償するステップとのステップのうちの少なくとも１つを一時停止し、温度状態が事前定義の範囲に戻ることを温度補償データが示す場合に前記ステップのうちの少なくとも１つを再開するステップをさらに含むことができる。
【００５１】
そのような実施形態は、例えば、タイヤ空気圧偏差データおよび／またはタイヤ空気圧に関する表明および／またはそれに基づくタイヤ空気圧偏差の信頼できる判定を妨げる温度状態（１つまたは複数）の場合に、本発明の方法の実行を停止することを可能にする。
【００５２】
本発明のシステムでは、
−  タイヤ空気圧偏差データを判定する手段が、少なくとも１つのタイヤのそれぞれの個々のタイヤ空気圧偏差データを判定するように構成され、
−  温度補償する手段が、少なくとも１つのタイヤのそれぞれの温度補償されたタイヤ空気圧偏差データを得るために、温度補償データを基礎として個々のタイヤ空気圧偏差データのそれぞれに関して別々に温度補償するように構成される
ことが可能である。
【００５３】
本発明のシステムでは、
−  タイヤ空気圧偏差データを判定する手段が、車両の少なくとも２つのタイヤの相対タイヤ空気圧偏差データを判定するように構成され、
−  温度補償する手段が、少なくとも２つのタイヤの温度補償されたタイヤ空気圧偏差データを得るために、温度補償データを基礎として各相対タイヤ空気圧偏差データに関して温度補償するように構成される
ことが可能である。
【００５４】
本発明のシステムでは、
−  温度補償データの手段が、少なくとも１つの事前定義の特定の温度状態の特定の温度補償データを判定するように構成され、
−  温度補償する手段が、特定の温度補償データを基礎としてタイヤ空気圧偏差データを温度補償するように構成される
ことが可能である。
【００５５】
ここで、温度補償データの手段が、重み付け関数、乗法的関数、非対称関数、および温度関連適応レートのうちの少なくとも１つを基礎としてタイヤ空気圧偏差データを温度補償するように構成されることが可能である。
【００５６】
本発明のシステムは、
−  外気温度を示す車両データと、
−  車両のエンジンの温度を示す車両データと、
−  車両のエンジンのエンジン・トルクを示す車両データと、
−  少なくとも１つのタイヤに作用するトルクを示す車両データと、
−  車両のエンジンのエンジン速度を示す車両データと、
−  車両のヨー・レートを示す車両データと、
−  車両の速度を示す車両データと、
−  車両の横加速度および縦加速度のうちの少なくとも１つを示す車両データと、
−  車両のハンドルのハンドル角を示す車両データと、
−  車両の運転状態、特にブレーキング状態を示す車両データと、
−  車両のギア・シフトが進行中であることを示す車両データと、
−  車両のブレーキング・システムが動作しつつあることを示す車両データ（例えば、ブレーキ・アクティブ・フラグ）と、
−  ブレーキ圧を示す車両データと、
−  車両の少なくとも１つのアクティブ制御デバイスがアクティブであることを示す車両データと
のうちの少なくとも１つを少なくとも１つの車両データとして入手する少なくとも１つの入力をさらに含むことができる。
【００５７】
本発明のシステムでは、温度補償データを判定する手段が、
−  少なくとも１つのタイヤの内部タイヤ温度を判定することと、
−  少なくとも１つのタイヤについて有効な車輪スリップを判定することと、
−  少なくとも１つのタイヤについて有効なギア・レシオを判定することと、
−  少なくとも１つのタイヤに作用するトラクション・フォースを判定することと、
−  少なくとも１つの圧力データに影響する道路状態を判定することと、
−  スノー・チェーンが少なくとも１つのタイヤに配置されているかどうかを判定することと、
−  車両のカーブ運転状態を判定することと
のうちの少なくとも１つを行うように構成されることが可能である。
【００５８】
本発明のシステムでは、温度補償する手段が、少なくとも１つの車両データに対する温度の影響を補償するために温度補償データに基づいて少なくとも１つの車両データを温度補償するように構成されることが可能である。
【００５９】
ここで、少なくとも１つの車両データを温度補償する手段が、少なくとも１つの車両データのうちの対応する１つを提供する車両の少なくとも１つのデバイスを温度補償するように構成されることが可能である。
【００６０】
さらに、ここで、少なくとも１つの車両データを提供するデバイスを温度補償する構成が、
−  少なくとも１つの温度センサを含む手段と、
−  少なくとも１つのヨー・レート・センサを含む手段と、
−  少なくとも１つのトルク・センサを含む手段と、
−  少なくとも１つの速度センサを含む手段と、
−  少なくとも１つの加速度センサを含む手段と
のうちの少なくとも１つを温度補償するようになされることが可能である。
【００６１】
センサは、１つまたは複数の別々のセンサ・ユニットを含むことができ、ここで、センサ・ユニットを、ハードウェア・ベースまたはソフトウェア・ベースあるいはその組合せとすることができる。
【００６２】
本発明のシステムでは、温度補償する手段が、温度補償データを基礎としてタイヤ空気圧指示データを温度補償するように構成されることが可能である。
【００６３】
ここで、少なくとも１つの圧力データを訂正する手段が、タイヤの圧力状態を示す圧力データに対する温度の影響に関する物理的知識および／またはタイヤの圧力状態を示す圧力データに対する温度の影響に関する経験的知識から入手されたルールを使用することによって少なくとも１つの圧力データを訂正するように構成されることが可能である。
【００６４】
本発明のシステムでは、温度補償する手段が、温度補償データを基礎としてタイヤ空気圧偏差データ自体を温度補償するように構成されることが可能である。
【００６５】
本発明のシステムは、タイヤ空気圧偏差データを偏差しきい値データと比較し、比較結果に基づいてタイヤ空気圧偏差状態が少なくとも１つの事前定義の偏差関連しきい値を超えるかどうかを判定する手段をさらに含むことができる。
【００６６】
ここで、本発明のシステムは、温度補償データを基礎として偏差しきい値データを訂正する手段をさらに含むことができる。
【００６７】
本発明のシステムは、それに関して温度補償を達成するために温度補償データを基礎として
−  タイヤ空気圧指示データを判定する手段と、
−  タイヤ空気圧偏差データを判定する手段と、
−  少なくとも１つの車両データを入手する手段と、
−  温度補償データを判定する手段と
のうちの少なくとも１つを少なくとも部分的に制御する訂正制御手段をさらに含むことができる。
【００６８】
本発明のシステムは、温度補償データが事前定義の範囲外の温度状態を示す場合に、タイヤ空気圧指示データを判定する手段と、タイヤ空気圧偏差データを判定する手段と、少なくとも１つの車両データを入手する手段と、温度補償データを判定する手段と、温度補償する手段とのうちの少なくとも１つをディスエーブルし、温度状態が事前定義の範囲に戻ることを温度補償データが示す場合に前記手段のうちの少なくとも１つをイネーブルする手段をさらに含むことができる。
【００６９】
本発明のコンピュータ・プログラム製品は、処理システム上で実行されるときに、本発明の方法の上で述べた可能な実施形態のうちの少なくとも１つのステップを実行するプログラム・コードをさらに含むことができる。
【００７０】
本発明のコンピュータ・プログラム製品を、コンピュータ可読記憶媒体上またはコンピュータ可読記憶デバイス内に格納することができる。
【００７１】
ここで図面をもう一度参照すると、図１は、特にタイヤ空気圧偏差（ＴＰＤ）警告システム２の形の、本発明による原理システム配置を概略的に示す。
【００７２】
ＴＰＤ警告システム２は、例えば、車両の電子制御ユニット（例えば、ＥＣＵ）内に統合されるハードウェアおよび／またはソフトウェア・コンポーネントとすることができる。システム２は、インターフェース４によっていわゆる車両データを入手し、インターフェース４は、少なくとも部分的にソフトウェア・ベースの実施態様の場合に、アプリケーション・プログラム・インターフェース（ＡＰＩ）とすることができる。車両データは、例えば車両状態を記述する、車両ＣＡＮバスからの車両信号を含むことができる。車両データは、それぞれ回転する車輪およびタイヤの角速度を示す回転速度センサ（車両のＡＢＳに存在する）などの車両のセンサから直接に入手され、かつ／または間接に導出される測定データ、情報、信号、および類似物を（さらに）含むことができる。
【００７３】
具体的に言うと、車両データは、外気温度、車両のエンジンの温度、車輪／タイヤ角速度、車輪／タイヤ回転速度、車両のエンジンのエンジン・トルク、少なくとも１つのタイヤに作用するトルク、車両のエンジンのエンジン速度、車両のヨー・レート、車両の速度、車両の横および／または縦加速度、車両のハンドルのハンドル角、車両の運転状態、特にブレーキング状態、進行中の車両のギア・シフト、およびアクティブに動作している車両のアクティブ制御デバイスを示すことができる。
【００７４】
そのようなデータのいずれをも、タイヤ空気圧指示データを判定するユニットによって使用することができ、このユニットを、下で説明する。しかし、そのようなデータのいずれもが、直接または間接に、タイヤ空気圧に影響する可能性がある温度（１つまたは複数）を示すこともできる。外気温度およびエンジン温度は、明らかに、タイヤ温度（例えば、タイヤの内部温度、タイヤの内側の気体温度、タイヤの材料の温度）の変動を介してタイヤ空気圧を変更する可能性がある。車両速度から生じる効果も、タイヤ空気圧に影響する可能性がある。というのは、例えばより高い速度が、より高いタイヤ温度に、したがって、より高いタイヤ空気圧につながるからである。また、カーブの多い道路での運転、のろのろ運転、車両の運転者独立制御（例えば、アクティブ・アンチロック・ブレーキング、ダイナミック・スタビリティ、アンチスピン、および／またはトラクション・コントロール手段）をもたらす運転状況などの現在の運転状況が、例えばタイヤの増やされた屈曲作用に起因して、タイヤ空気圧に影響する場合がある。
【００７５】
そのような車両データを提供するために、車両のＥＣＵおよび／またはセンサを使用することができる。例えば、温度センサ（１つまたは複数）、ヨー・レート・センサ（１つまたは複数）、トルク・センサ（１つまたは複数）、速度センサ（１つまたは複数）、アクセル・センサ（１つまたは複数）、ならびに／あるいはアクセル・ペダル、クラッチ・ペダル、および／またはブレーキ・ペダルの位置（１つまたは複数）を示すセンサを使用して、車両データを獲得し、かつ／または測定を実行することができ、それを基礎として車両データを導出することができる。
【００７６】
いくつかの実施形態では、少なくとも１つの温度センサをシステム２および／またはＥＣＵもしくは外気温度を測定するのに適する車両内／上の任意の他の場所に配置（例えば、結合）することができる。また、内部タイヤ温度を直接に測定するセンサを使用することができる。
【００７７】
追加のまたは代替の温度センサ（１つまたは複数）を、エンジンのインテーク・マニホルド内の気体温度、ブレーキ・ディスク温度、車輪リム温度、および／または相対風から生じる温度を測定するように配置することができる。温度情報は、加えてまたは代替として、上で示したように、運転状況と内部タイヤ温度との間の既知の関係（１つまたは複数）（例えば、ブレーキング中および加速中の車輪リムでの熱蓄積）を基礎として入手することができる。
【００７８】
車両データを、システム２のユニットに直接に供給でき、および／または後の使用のためにメモリ・ユニット６に格納することができる。
【００７９】
診断制御ユニット８は、内部システム・チェックおよび入力信号チェックを実行し、システム状況およびエラー・コードをセットする。深刻なエラーが発生する場合には、このユニットは、システム２をディスエーブルすることができる。
【００８０】
入手された車両データを、前処理ユニット１０に入力することができ、前処理ユニット１０は、車両データを処理し（例えば、フィルタリングし）て、例えば、外乱およびオフセットを除去することができ、車両データを他のシステム部分によって使用できるように、車両データを前計算することができる。
【００８１】
説明される実施形態によれば、インターフェース４、メモリ・ユニット６、および前処理ユニット１０を、少なくとも１つの車両データを入手するステップおよび／または手段の実施態様と考えることができる。
【００８２】
前処理ユニット１０によって出力される信号は、車輪半径分析（ＷＲＡ）ユニット１２および／または車輪スペクトル分析（ＷＳＡ）ユニット１４に入力される。本明細書で説明される実施形態によれば、ＷＲＡユニット１２およびＷＳＡユニット１４は、タイヤ空気圧指示データを判定するステップおよび／またはタイヤ空気圧指示データを判定する手段の実施態様を表す。
【００８３】
このために、ＷＲＡユニット１２およびＷＳＡユニット１４は、少なくとも車輪／タイヤ角速度および／または車輪／タイヤ回転速度を示す車両データ（未処理のおよび／または前処理ユニット１０によって処理された）を供給される。
【００８４】
さらなる車両信号を、車輪／タイヤ角速度「エネルギー」、ヨー・レート、車輪／タイヤ速度からのヨー・レート、エンジン・トルク、進行中のブレーキング、進行中のバック、進行中のアクティブ制御、車両速度、縦加速度、横加速度、車輪スリップ、正規化されたトラクション・フォース、進行中のギア・シフト、データ品質インジケータ（ダイナミック駆動、スリップ変動など）、外気温度、および車両状況に関連するものとすることができる。
【００８５】
いくつかの実施形態で、ＷＲＡユニット１２およびＷＳＡユニット１４は、さらに、例えば特殊な運転状態（例えば、スノー・チェーンを伴う運転、ラフロードでの運転、オーバル・トラックでの運転、およびロータリーでの運転など）を示すデータを供給され得る。そのようなデータは、インターフェース４、メモリ６、および／または前処理ユニット１０からの車両データに基づいて動的状態検出器１６によって生成することができる。したがって、動的状態検出器１６からのデータが、車両データから導出されるので、動的状態検出器１６からのデータを、本明細書では車両データとも称する。
【００８６】
ＷＲＡユニット１２内で実行される車輪半径分析は、車輪の車輪速度がそれぞれの車輪半径に依存するという事実に基づく。車輪速度は、車輪半径の減少に伴って増加する。車輪半径の変化は、対応する車輪のタイヤ空気圧の変化に関する情報を含むが、例えば車両荷重変化および表面変化を反映し、あるいは駆動力（加速、ブレーキング、カーブでの力など）に反応する場合もある。
【００８７】
説明される実施形態によれば、ＷＲＡユニット１２は、少なくとも２つのタイヤの相対タイヤ空気圧偏差データを判定するステップおよび／または手段の実施態様と考えることができる。下でさらに説明するように、温度補償を実行して、少なくとも２つのタイヤの温度補償されたタイヤ空気圧偏差データを得ることができる。
【００８８】
車輪角速度信号に基づいて、ＷＳＡユニット１４は、４つの車輪角速度信号のそれぞれのスペクトル特性の変化を検出する。タイヤ空気圧は、角速度信号のスペクトルの特性にかなりの影響を有するが、さらなる状態（例えば、運転状況、道路表面、および温度）も、角速度信号スペクトルに対する影響を有する可能性があり、したがって、これを考慮することができる。
【００８９】
さらなる実施形態では、ＷＳＡユニット１４は、ＤＦＴベースの手法（１つまたは複数）および／または方法（１つまたは複数）を使用して、車輪／タイヤ・スペクトルを判定することができる。
【００９０】
どの場合でも、ＷＳＡユニット１４は、例えば車輪／タイヤ速度スペクトルのパラメトリック・モデルを計算することと、スペクトルの異なる圧力依存特徴を１つの単一スカラ量に圧縮するスペクトル形状係数を計算するのにこのモデルのパラメータを使用することとによって、各車輪のタイヤ空気圧の変化を個別に検出することができる。
【００９１】
説明される実施形態によれば、ＷＳＡユニット１４は、少なくとも１つのタイヤの個々のタイヤ空気圧偏差データを判定するステップおよび／または手段の実施態様と考えることができる。下でさらに説明するように、温度補償を実行して、少なくとも１つのタイヤのそれぞれの温度補償されたタイヤ空気圧偏差データを得ることができる。
【００９２】
さらなる実施形態では、個々のタイヤ空気圧偏差データを、ＷＯ２００５／００５９３３Ａ１に開示されているように相関分析によって提供することができる。
【００９３】
そのような場合に、車両が車輪間隔だけ離された前輪および後輪の少なくとも１つの対を有すると仮定すると、前輪／タイヤ速度および後輪／タイヤ速度の時間依存挙動を示す前輪／タイヤ速度および後輪／タイヤ速度の情報が、判定される。次に、前輪／タイヤ速度および後輪／タイヤ速度の情報は、前輪速度信号と後輪速度信号との間の時間遅れを示す特定の相関特徴を判定するために、相関される。この相関特徴および車輪間隔を基礎として、車両の速度を判定することができる。
【００９４】
タイヤ空気圧指示データを、ＷＲＡユニット１２のみによって、ＷＳＡユニット１４のみによって、またはＷＲＡユニット１２とＷＳＡユニット１４との両方によって供給することができる。
【００９５】
組合せ／補償ユニット１８は、ＷＲＡユニット１２および／またはＷＳＡユニット１４からならびにインターフェース４、メモリ・ユニット６、および／または前処理ユニット１０からデータを入手する。説明される実施形態によれば、組合せ／補償ユニット１８は、タイヤ空気圧偏差データを判定するステップおよび／またはタイヤ空気圧偏差データを判定する手段の実施態様と考えることができる。
【００９６】
より具体的には、組合せ／補償ユニット１８に供給されるデータは、ＷＲＡユニット１２およびＷＳＡユニット１４のうちの少なくとも１つのタイヤ空気圧指示データを含む。そのようなデータを使用して、車両タイヤのタイヤ空気圧偏差状態（１つまたは複数）を示すタイヤ空気圧偏差データを判定することができる。このために、組合せ／補償ユニット１８は、例えば動的状態検出器１６によって供給される特殊な運転状態（例えば、スノー・チェーンを伴う運転、ラフロードでの運転、オーバル・トラックでの運転、およびロータリーでの運転など）を示すデータおよび／または将来の車両データをも使用することができる。
【００９７】
一般に、組合せ／補償ユニット１８は、入力データに基づいて、タイヤごとに別々にまたは少なくとも２つのタイヤについて一緒に、タイヤ空気圧偏差状態（１つまたは複数）を判定する。図示されていない実施形態では、組合せ／補償ユニット１８は、タイヤ空気圧指示データが、事前にセットされた、所望の、および／または必要なタイヤ空気圧からの偏差を示すかどうかを判定する。このために、組合せ／補償ユニット１８は、さらに、現在の運転状況を表すデータなどのさらなる入力データを考慮に入れることができる。というのは、そのようなデータが、不適切なタイヤ空気圧偏差が存在するかどうかの判断に影響する可能性があるからである。
【００９８】
そのような判定（１つまたは複数）は、しきい値比較（１つまたは複数）を使用することができる。次に、タイヤ空気圧指示データが上側および／または下側のしきい値（例えば、それぞれ最大および最小の許容可能タイヤ空気圧）に違反する場合に、不適切なタイヤ空気圧偏差を確かめることができる。
【００９９】
不適切なタイヤ空気圧偏差状態が検出される場合には、組合せ／補償ユニット１８は、警告データの生成、警告信号のイネーブルなどを行って、不適切なタイヤ空気圧偏差状態に関して知らせることができる。
【０１００】
そのような警告情報を、インターフェース２０を介して車両のＥＣＵに結合することができ、このＥＣＵは、現在のタイヤ空気圧偏差状態を考慮して適切な手段を開始することができる（例えば、速度を下げる、それぞれのタイヤに関する加速度および／または制動力および／またはトルクを下げるなどのためのアクティブ制御手段。ビジュアル情報、警告ライト、音声および／またはサウンド出力によって車両の運転手に知らせること）。インターフェース２０を、インターフェース４と共に一体化して実施することができ、あるいは別々に設けることができる。
【０１０１】
加えてまたはその代わりに、警告情報を、警告ユニット（図示せず）に転送することができ、この警告ユニットは、ＥＣＵのために上で示した機能を実行し、かつ／または不適切なタイヤ空気圧偏差状態に関して知らせるためにＥＣＵと通信する。警告ユニットがシステム２に含まれる場合には、外部デバイスとの通信を、インターフェース２０を介して達成することができる。警告情報を、後の分析のために格納することもできる。
【０１０２】
その代わりに、両方向カウンタを使用することができ、この両方向カウンタは、タイヤ空気圧偏差がしきい値を超える場合に開始され、カウント・アップを開始する。タイヤ空気圧偏差がしきい値未満になる場合には、両方向カウンタは、反対方向でカウントする。
【０１０３】
そのような実施形態で、および１つまたは複数のカウンタが警告情報の生成に使用されるすべての場合に、温度（変動）が例えばカウンタを開始するのに使用されるしきい値、タイヤ空気圧、タイヤ空気圧偏差に影響する場合があることを考慮に入れるために、カウンタを温度補償することができる。
【０１０４】
図２に示された実施形態によれば、組合せ／補償ユニット１８は、タイヤ空気圧偏差状態を判定するためにより複雑な手順を実行するように構成される。図示されているように、組合せ／補償ユニット１８は、検出器とも称する複数のサブユニット１８−１、．．．、１８−ｎを含む。検出器１８−１、．．．、１８−ｎは、特定のタイヤ空気圧偏差状態を検出するのに使用される。
【０１０５】
そのような実施形態を示すために、検出器１８−１、．．．、１８−ｎが、パンク検出器１８−１、拡散検出器１８−２、フラット・タイヤ検出器１８−３、非対称検出器１８−４、特殊検出器１８−５、較正中漏れ検出器１８−６、および高感度検出器１８−７を含むと仮定する。
【０１０６】
検出器１８−１、．．．、１８−ｎのそれぞれは、すべてのタイヤに関連付けられ得、あるいは、特定のタイヤにそれぞれが関連付けられたサブ検出器（図示せず）を含むことができ、あるいは、各検出器タイプを、それぞれ特定のタイヤに関連して複数回設けることができる。ここでは、検出器１８−１、．．．、１８−ｎのそれぞれが、すべてのタイヤについて動作すると仮定する。
【０１０７】
パンク検出器１８−１は、タイヤ内のすばやい圧力消失（１つまたは複数）を検出するために、短い時間スケール、通常は分単位で動作する。
【０１０８】
拡散検出器１８−２は、タイヤ内の遅い圧力消失を検出するために、長い時間スケール、通常は時間単位で動作する。
【０１０９】
フラット・タイヤ検出器１８−３は、タイヤ内のすばやく大きい圧力低下を検出するために、非常に短い時間スケールで動作する。
【０１１０】
非対称検出器１８−４は、非対称タイヤ空気圧シナリオでの検出性能を高めるために、パンク検出器および拡散検出器を補完する。そのような状況の例が、あるタイヤでの例えば１５％の圧力低下および別のタイヤでの例えば３０％の圧力低下である。非対称検出器１８−４は、特殊な荷重の場合での検出性能を高めるのにも重要である可能性がある。
【０１１１】
特殊検出器１８−５は、トルク変動がないか少ない状況での検出性能を高めるために、パンク検出器および拡散検出器を補完する。
【０１１２】
較正中漏れ検出器１８−６は、システム較正中のタイヤ内の連続的な圧力低下を検出する。
【０１１３】
高感度検出器１８−７は、タイヤ内の繰り返されるタイヤ問題を検出するために短い時間スケールで動作する。
【０１１４】
検出器１８−１、．．．、１８−ｎは、それぞれ、なかんずく、しきい値を使用して、検出器１８−１、．．．、１８−ｎのそれぞれの１つがそれ専用であるタイヤ空気圧偏差状態の優勢を判定する。
【０１１５】
例えば、パンク検出器１８−１は、なかんずく、しきい値を使用してタイヤ（１つまたは複数）内のすばやい圧力消失（１つまたは複数）を検出し、拡散検出器１８−２は、なかんずく、しきい値を使用してタイヤ（１つまたは複数）内の遅い圧力消失（１つまたは複数）を検出し、フラット・タイヤ検出器１８−３は、なかんずく、しきい値を使用してタイヤ（１つまたは複数）内のすばやく大きい圧力低下（１つまたは複数）を検出し、非対称検出器１８−４は、なかんずく、しきい値を使用して非対称タイヤ空気圧シナリオを検出し、特殊検出器１８−５は、なかんずく、しきい値を使用してトルク変動（１つまたは複数）がないか少ない状態でのタイヤ空気圧偏差状態を検出し、較正中漏れ検出器１８−６は、なかんずく、しきい値を使用してシステム２の較正中のタイヤ（１つまたは複数）内の連続的圧力低下（１つまたは複数）を検出し、高感度検出器１８−７は、なかんずく、しきい値を使用してタイヤ（１つまたは複数）内の繰り返されるタイヤ空気圧問題（１つまたは複数）を検出する。
【０１１６】
例えば、検出器１８−１、．．．、１８−ｎがどのように設けられるか（例えば、上で示したように、すべてのタイヤに関する１つの特定の検出器、サブ検出器を含む、複数回設けられる検出器タイプ）に依存して、個々の検出器あたりのしきい値の個数を変更することができる。いくつかの実施形態では、各検出器は、複数のしきい値を使用することができる。しかし、限定ではなく例示のために、ここでは、各検出器が単一のしきい値を使用すると仮定する。どの場合でも、そのようなしきい値（１つまたは複数）は、偏差しきい値データの可能な実施態様を表す。
【０１１７】
説明される実施形態によれば、組合せ／補償ユニット１８は、温度補償をももたらし、したがって、温度補償データを判定するステップおよび温度補償するステップを実施し、かつ／またはタイヤ空気圧偏差データを判定する手段および温度補償する手段を提供すると考えることができる。さらなる実施形態では、温度補償データ判定および／または温度補償を、１つまたは複数の別々のユニットによって達成することができる。
【０１１８】
温度補償について、組合せ／補償ユニット１８は、それを基礎として温度補償データを判定できる上で述べた車両データおよび／またはそれから導出される情報のいずれをも受け取ることができる。温度補償データは、タイヤ空気圧偏差データに直接におよび／または間接に影響する温度の影響（１つまたは複数）を補償するのに使用できるすべての情報を含む。
【０１１９】
温度補償データは、「絶対」温度情報、例えば実際に有効な現在温度（１つまたは複数）を示す情報および／または「相対」温度情報、例えば実際に有効な現在温度（１つまたは複数）とそれぞれの関連する基準温度との間の差（１つまたは複数）を示す情報に基づくものとすることができる。可能な基準温度は、システム２の較正中の有効な温度とすることができる。
【０１２０】
タイヤ空気圧偏差データは、なかんずく、車両データに基づく。温度変動は、車両データに、したがって、タイヤ空気圧偏差データに影響する可能性がある。そのような温度の影響（１つまたは複数）を補償するために、温度補償データは、１つまたは複数の車両データおよび／または車両データを供給する１つまたは複数のデバイスが温度補償されなければならないことを示すことができる。
【０１２１】
車両データ自体を温度補償するために、例えば温度関連の訂正係数、関数、および類似物を適用することが企図されている。車両データを供給するデバイスの場合に、これは、例えば、温度関連の訂正係数、関数、および類似物を適用することによって達成することもできる。例えば、センサの場合に、温度補償を、センサの温度依存測定挙動（例えば、オフセット・ドリフト）のモデルを使用することによって達成することができる。
【０１２２】
タイヤ空気圧偏差データは、なかんずく、タイヤ空気圧指示データに基づく。温度変動は、タイヤ空気圧指示データが温度変動にさらされる可能性がある車両データに基づくのでというだけではなく、温度変動がタイヤ空気圧指示データの生成に影響する可能性があるので、タイヤ空気圧指示データに影響する可能性がある。さらに、車両データに対する温度効果およびタイヤ空気圧指示データを入手するための測定に対する温度効果は、異なる影響を有する場合がある。それでも、タイヤ空気圧指示データに影響する温度は、タイヤ空気圧偏差データにも影響する可能性がある。
【０１２３】
そのような温度の影響（１つまたは複数）を補償するために、温度補償データは、１つまたは複数のタイヤ空気圧指示データが温度補償されなければならないことを示すことができる。これは、例えば、タイヤ空気圧指示データ自体、ならびに／またはタイヤ空気圧指示データを導出するのに使用されるモデル、パラメータ、および類似物を温度補償するために数学モデル、知識（特に物理的知識）、および経験的知識を使用することによって達成することができる。例えば、タイヤ空気圧および内部タイヤ温度の関係に対する物理的知識ならびに／または基礎になるモデル・パラメータ（１つまたは複数）および異なる温度状態の依存性を定義する統計的分析を使用することができる。
【０１２４】
タイヤ空気圧指示データ自体も、例えばタイヤ空気圧指示データの生成に使用される手段の温度効果に起因して、温度依存である場合がある。そのような温度の影響（１つまたは複数）を補償するために、温度補償データは、タイヤ空気圧指示データ自体および／またはそれぞれのデータ生成手段を温度補償しなければならないことを示すことができる。
【０１２５】
タイヤ空気圧指示データ自体を温度補償するために、例えば、温度関連訂正係数、関数、および類似物を適用することが企図されている。タイヤ空気圧指示データを判定する手段の場合に、これは、例えば、温度関連訂正係数、関数、および類似物を適用することによって達成することもできる。
【０１２６】
例えば上で説明した１つまたは複数の検出器に関するしきい値が使用される場合に、温度補償を、異なる温度状態に対処できるようにしきい値（１つまたは複数）を構成させることによって実行することができる。しきい値適合は、例えば、温度関連ステップ関数（１つまたは複数）、連続関数（１つまたは複数）、不連続関数（１つまたは複数）、適応レート（１つまたは複数）、対称関数（１つまたは複数）、非対称関数（１つまたは複数）、および重み付け関数（１つまたは複数）に従って実行することができる。
【０１２７】
温度補償を、現在温度または現在温度と事前定義の温度（例えば、較正中の温度）との間の差のいずれかに基づくものとすることができる。
【０１２８】
さらに、上で説明したものに匹敵する検出器の場合に、１つまたは複数の特定の検出器が、ある温度状態（１つまたは複数）の下でより不適切であることが可能である場合がある。そのような検出器の出力を、例えば検出器が正しく働いている温度状態について１であり、検出器が正しく働いていない温度状態（１つまたは複数）について例えば１より大きいおよび／またはそれより小さい値を有する、乗法的関数を基礎として変更することができる。検出器が正しく働いていない複数の温度状態の場合に、温度状態ごとに、乗法的関数は、異なる大きさを有することができる。乗法的関数ではなく、連続関数を使用することができ、これによって、異なる温度状態をより正確にマッピングすることができる。可能な連続関数は、指数項または指数関数を含むか、これらとすることができる。そのような関数を、前に説明した温度補償に（も）使用できることに留意されたい。
【０１２９】
本明細書でより詳細に説明する実施形態では、そのような検出器（１つまたは複数）の変更を、乗法的関数ｈ（Ｔcurrent）に基づくものとすることができ、ここで、Ｔcurrentは、現在温度を示す。それ未満で（１つの）変更されるべき検出器（１つまたは複数）が正しく働くしきい温度を仮定すると、関数ｈ（Ｔcurrent）を、｜Ｔcurrent｜＜Ｔlimitの場合に１、｜Ｔcurrent｜＜Ｔlimitの場合に０になるように定義することができる。次に、変更されるべき検出器の出力Ｉを、Ｉmodified＝Ｉdefault×ｈ（Ｔcurrent）と定義することができ、ここで、Ｉdefaultは、未変更の検出器出力（例えば、検出器出力ポートでの信号出力）を示し、Ｉmodifiedは、変更された検出器出力（例えば、変更されるべき検出器からの情報としてタイヤ空気圧監視で実際に使用される信号）を示す。
【０１３０】
さらなる実施形態では、関数ｈ（ΔＴ）を使用することができ、ここで、ΔＴは、現在温度と基準温度（例えば、較正中の温度）との間の差を示す。そのような関数は、基準温度が定義される状態（例えば、較正について優勢な状態）と類似する（温度）状態から来るデータを強調するのに有益である可能性がある。その場合に、関数ｈ（ΔＴ）を、０≦ｈ（ΔＴ）≦１およびｈ（０）＝１と定義することができ、ここで、ｈ（ΔＴ）は、｜ΔＴ｜の増加に伴って減少することができ（例えば、ｈ（ΔＴ）＝ｅｘｐ（−γ｜ΔＴ｜）、γは正の定数）、あるいは、ｈ（ΔＴ）は、｜ΔＴ｜の増加に伴って増加することができる（例えば、ｈ（ΔＴ）＝｜ΔＴ｜γ、γは、１より大きい正の定数）。タイヤ空気圧が、通常は温度上昇に伴って増加し、逆も同様であることを考慮するために、非対称関数ｈ（ΔＴ）、例えば、ΔＴ≧０についてｈ（ΔＴ）＝１−αΔＴ、ΔＴ＜０についてｈ（ΔＴ）＝１−βΔＴを使用することができ、ここで、αおよびβは、適切に選択された定数である。
【０１３１】
いくつかの実施形態で、温度補償データは、温度補償が、例えば実現可能でない、可能でない、望まれない、信頼できないなどであることを示すことができる。例えば、それに関して温度補償を実行してはならない１つまたは複数の温度状態（例えば、温度範囲、最高温度、最低温度）を定義することができる。そのような温度状態が検出される場合に、その温度状態が優勢である限り、温度補償を中断するか一時停止することができる。その温度状態から抜けたときには、温度補償が、もう一度再開される。このために、温度補償データは、それぞれ温度補償をディスエーブルすべきことおよび温度補償をイネーブルすべきことを示す情報などのそれぞれの情報を含むことができる。そのような情報を、それ相応にそれぞれ動作をディスエーブルし、イネーブルするために、システム２の１つ、複数、またはすべてのコンポーネントに供給することができる。
【符号の説明】
【０１３２】
２  タイヤ空気圧偏差（ＴＰＤ）警告システム；  ４  インターフェース；  
６  メモリ・ユニット；  ８  診断制御ユニット；  １０  前処理ユニット；  
１２  車輪半径分析（ＷＲＡ）ユニット；  
１４  車輪スペクトル分析（ＷＳＡ）ユニット；  
１６  動的状態検出器；  １８  組合せ／補償ユニット；  ２０  インターフェース。
【図１】
2010521684.tif 000003
【図２】
2010521684.tif 000004
【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
車両のタイヤのタイヤ空気圧偏差を検出するタイヤ空気圧間接監視の方法であって、
車両の少なくとも１つのタイヤのタイヤ空気圧状態を示すタイヤ空気圧指示データを判定するステップと、
前記タイヤ空気圧指示データを基礎として前記少なくとも１つのタイヤのタイヤ空気圧偏差状態を示すタイヤ空気圧偏差データを判定するステップと
前記車両の制御および／または監視デバイスによって供給される少なくとも１つの車両データを入手するステップと、
前記少なくとも１つの車両データを基礎として温度補償データを判定するステップと、
温度補償されたタイヤ空気圧偏差データが得られるように、前記温度補償データを基礎として温度補償するステップと、
前記温度補償データが事前定義の範囲外の温度状態を示す場合に、上記のステップのうちの少なくとも１つのステップを一時停止し、温度状態が前記事前定義の範囲に戻ることを前記温度補償データが示す場合に、上記のステップのうちの前記少なくとも１つのステップを再開するステップと、
を含む、ことを特徴とするタイヤ空気圧間接監視の方法。
【請求項２】
請求項１に記載の方法において、
タイヤ空気圧偏差データを判定する前記ステップが、前記少なくとも１つのタイヤのそれぞれの個々のタイヤ空気圧偏差データを判定する過程を含み、且つ、
温度補償する前記ステップが、前記少なくとも１つのタイヤのそれぞれの温度補償されたタイヤ空気圧偏差データが得られるように、前記温度補償データを基礎として前記個々のタイヤ空気圧偏差データのそれぞれに関して温度補償する過程を含むこと、及び／又は、
タイヤ空気圧偏差データを判定する前記ステップが、前記車両の少なくとも２つのタイヤの相対タイヤ空気圧偏差データを判定する過程を含み、そして、
温度補償する前記ステップが、前記少なくとも２つのタイヤの温度補償されたタイヤ空気圧偏差データを得るために、前記温度補償データを基礎として前記相対タイヤ空気圧偏差データのそれぞれに関して温度補償する過程を含むこと、及び／又は、
温度補償データを判定する前記ステップが、少なくとも１つの事前定義の温度状態の特定の温度補償データを判定する少なくとも１つの過程を含み、そして、
温度補償する前記ステップが、前記特定の温度補償データを基礎として前記タイヤ空気圧偏差データを温度補償する過程を含み、そして、
温度補償する前記ステップが、重み付け関数、乗法的関数、非対称関数、および温度関連適応レートのうちの少なくとも１つを基礎として前記タイヤ空気圧偏差データを温度補償する過程を含むこと、及び／又は、
前記少なくとも１つの車両データが、
外気温度を示す車両データと、
前記車両のエンジンの温度を示す車両データと、
前記車両のエンジンのエンジン・トルクを示す車両データと、
前記少なくとも１つのタイヤに作用するトルクを示す車両データと、
前記車両のエンジンのエンジン速度を示す車両データと、
前記車両のヨー・レートを示す車両データと、
前記車両の速度を示す車両データと、
前記車両の横加速度および縦加速度のうちの少なくとも１つを示す車両データと、
前記車両のハンドルのハンドル角を示す車両データと、
前記車両の運転状態、特にブレーキング状態を示す車両データと、
前記車両のギア・シフトが進行中であることを示す車両データと、
前記車両のブレーキング・システムが動作しつつあることを示す車両データと、
ブレーキ圧を示す車両データと、
前記車両の少なくとも１つのアクティブ制御デバイスがアクティブであることを示す車両データと
のうちの少なくとも１つを含むこと、及び／又は、
前記温度補償データを判定する前記ステップが、
前記少なくとも１つのタイヤの内部タイヤ温度を判定することと、
前記少なくとも１つのタイヤについて有効な車輪スリップを判定することと、
前記少なくとも１つのタイヤについて有効なギア・レシオを判定することと、
前記少なくとも１つのタイヤに作用するトラクション・フォースを判定することと、
前記少なくとも１つの圧力データに影響する道路状態を判定することと、
スノー・チェーンが前記少なくとも１つのタイヤに配置されているかどうかを判定することと、
前記車両のカーブ運転状態を判定することと
のうちの少なくとも１つを含むこと、及び／又は、
温度補償する前記ステップが、前記少なくとも１つの車両データに対する温度の影響を補償するために前記温度補償データに基づいて前記少なくとも１つの車両データを温度補償する過程を含み、そして、
前記少なくとも１つの車両データを温度補償する前記ステップが、前記少なくとも１つの車両データのうちの対応する１つを提供する前記車両の少なくとも１つのデバイスを温度補償する過程を含み、そして、
前記少なくとも１つの車両データを提供するデバイスを温度補償する前記過程が、
少なくとも１つの温度センサを含む手段と、
少なくとも１つのヨー・レート・センサを含む手段と、
少なくとも１つのトルク・センサを含む手段と、
少なくとも１つの速度センサを含む手段と、
少なくとも１つの加速度センサを含む手段と
のうちの少なくとも１つを温度補償すること
を含むこと、及び／又は、
温度補償する前記ステップが、前記温度補償データを基礎として前記タイヤ空気圧指示データを温度補償する過程を含み、そして、
タイヤ空気圧指示データを温度補償する前記過程が、タイヤの圧力状態を示す圧力データに対する温度の影響に関する物理的知識および／またはタイヤの圧力状態を示す圧力データに対する温度の影響に関する経験的知識から入手されたルールを使用することによって実行されること、及び／又は、
温度補償する前記ステップが、前記温度補償データを基礎として前記タイヤ空気圧偏差データ自体を温度補償する過程を含むこと、及び／又は、
前記タイヤ空気圧偏差が少なくとも１つの所定の偏差関連しきい値を超えるかどうかを判定するために、前記タイヤ空気圧偏差データを偏差しきい値データと比較するステップをさらに含み、
好ましくは、前記温度補償データを基礎として前記偏差しきい値データを訂正するステップをさらに含むこと、及び／又は、
温度補償が得られるように前記温度補償データを基礎として
前記タイヤ空気圧指示データを判定するステップと、
前記タイヤ空気圧偏差データを判定するステップと、
前記少なくとも１つの車両データを入手するステップと、
前記温度補償データを判定するステップと
のうちの少なくとも１つを制御するステップを含むこと、
を特徴とする、方法。
【請求項３】
車両のタイヤのタイヤ空気圧偏差を検出するタイヤ空気圧間接監視のシステムであって、
車両の少なくとも１つのタイヤのタイヤ空気圧状態を示すタイヤ空気圧指示データを判定する手段と、
前記タイヤ空気圧指示データを基礎として前記少なくとも１つのタイヤのタイヤ空気圧偏差状態を示すタイヤ空気圧偏差データを判定する手段と
前記車両の制御および／または監視デバイスによって供給される少なくとも１つの車両データを入手する手段と、
前記少なくとも１つの車両データを基礎として温度補償データを判定する手段と、
温度補償されたタイヤ空気圧偏差データが得られるように、前記温度補償データを基礎として温度補償する手段と、
前記温度補償データが事前定義の範囲外の温度状態を示す場合に、上記の手段のうちの少なくとも１つをディスエーブルし、温度状態が前記事前定義の範囲に戻ったことを前記温度補償データが示す場合に、上記の手段のうちの前記少なくとも１つをイネーブルする手段と
を備える、ことを特徴とするタイヤ空気圧間接監視のシステム
【請求項４】
請求項３に記載のシステムにおいて、
タイヤ空気圧偏差データを判定する前記手段が、前記少なくとも１つのタイヤのそれぞれの個々のタイヤ空気圧偏差データを判定するように構成され、且つ、
温度補償する前記手段が、前記少なくとも１つのタイヤのそれぞれの温度補償されたタイヤ空気圧偏差データを得るために、前記温度補償データを基礎として前記個々のタイヤ空気圧偏差データのそれぞれに関して温度補償するように構成されること、及び／又は、
タイヤ空気圧偏差データを判定する前記手段が、前記車両の少なくとも２つのタイヤの相対タイヤ空気圧偏差データを判定するように構成され、且つ、
温度補償する前記手段が、前記少なくとも２つのタイヤの温度補償されたタイヤ空気圧偏差データを一緒に得るために、前記温度補償データを基礎として各相対タイヤ空気圧偏差データに関して温度補償するように構成されること、及び／又は、
温度補償データを判定する前記手段が、少なくとも１つの事前定義の温度状態の特定の温度補償データを判定するように構成され、且つ、
温度補償する前記手段が、前記特定の温度補償データを基礎として前記タイヤ空気圧偏差データを温度補償するように構成され、且つ、
好ましくは、温度補償する前記手段が、重み付け関数、乗法的関数、非対称関数、および温度関連適応レートのうちの少なくとも１つを基礎として前記タイヤ空気圧偏差データを温度補償するように構成されること、及び／又は、
外気温度を示す車両データと、
前記車両のエンジンの温度を示す車両データと、
前記車両のエンジンのエンジン・トルクを示す車両データと、
前記少なくとも１つのタイヤに作用するトルクを示す車両データと、
前記車両のエンジンのエンジン速度を示す車両データと、
前記車両のヨー・レートを示す車両データと、
前記車両の速度を示す車両データと、
前記車両の横加速度および縦加速度のうちの少なくとも１つを示す車両データと、
前記車両のハンドルのハンドル角を示す車両データと、
前記車両の運転状態、特にブレーキング状態を示す車両データと、
前記車両のギア・シフトが進行中であることを示す車両データと、
前記車両のブレーキング・システムが動作しつつあることを示す車両データと、
ブレーキ圧を示す車両データと、
前記車両の少なくとも１つのアクティブ制御デバイスがアクティブであることを示す車両データと
のうちの少なくとも１つを前記少なくとも１つの車両データとして入手する少なくとも１つの入力をさらに含むこと、及び／又は、
前記温度補償データを判定する前記手段が、
前記少なくとも１つのタイヤの内部タイヤ温度を判定することと、
前記少なくとも１つのタイヤについて有効な車輪スリップを判定することと、
前記少なくとも１つのタイヤについて有効なギア・レシオを判定することと、
前記少なくとも１つのタイヤに作用するトラクション・フォースを判定することと、
前記少なくとも１つの圧力データに影響する道路状態を判定することと、
スノー・チェーンが前記少なくとも１つのタイヤに配置されているかどうかを判定することと、
前記車両のカーブ運転状態を判定することと
のうちの少なくとも１つを行うように構成されること、及び／又は、
温度補償する前記手段が、前記少なくとも１つの車両データに対する温度の影響を補償するために前記温度補償データに基づいて前記少なくとも１つの車両データを温度補償するように構成され、そして、
前記少なくとも１つの車両データを温度補償する前記手段が、前記少なくとも１つの車両データのうちの対応する１つを提供する前記車両の少なくとも１つのデバイスを温度補償するように構成され、そして、
前記少なくとも１つの車両データを提供するデバイスを温度補償する前記手段が、
少なくとも１つの温度センサを含む手段と、
少なくとも１つのヨー・レート・センサを含む手段と、
少なくとも１つのトルク・センサを含む手段と、
少なくとも１つの速度センサを含む手段と、
少なくとも１つの加速度センサを含む手段と
のうちの少なくとも１つを温度補償するように構成されること、及び／又は、
温度補償する前記手段が、前記温度補償データを基礎として前記タイヤ空気圧指示データを温度補償するように構成され、そして、
前記タイヤ空気圧指示データを訂正する手段が、タイヤの圧力状態を示す圧力データに対する温度の影響に関する物理的知識および／またはタイヤの圧力状態を示す圧力データに対する温度の影響に関する経験的知識から入手されたルールを使用することによって前記タイヤ空気圧指示データを訂正するように構成されること、及び／又は、
温度補償する前記手段が、前記温度補償データを基礎として前記タイヤ空気圧偏差データ自体を温度補償するように構成されること、及び／又は、
前記タイヤ空気圧偏差データを偏差しきい値データと比較し、前記比較結果に基づいて前記タイヤ空気圧偏差状態が少なくとも１つの所定の偏差関連しきい値を超えるかどうかを判定する手段をさらに含み、そして、
前記温度補償データを基礎として前記偏差しきい値データを訂正する手段をさらに含むこと、及び／又は、
それに関して温度補償を達成するために前記温度補償データを基礎として
前記タイヤ空気圧指示データを判定する手段と、
前記タイヤ空気圧偏差データを判定する手段と、
前記少なくとも１つの車両データを入手する手段と、
前記温度補償データを判定する手段と
のうちの少なくとも１つを少なくとも部分的に制御する訂正制御手段と
をさらに含む、ことを特徴とするシステム。
【請求項５】
車両のタイヤのタイヤ空気圧偏差を検出するタイヤ空気圧間接監視のためのコンピュータ・プログラム製品であって、処理システム上で実行されると、
車両の少なくとも１つのタイヤのタイヤ空気圧状態を示すタイヤ空気圧指示データを判定するステップと、
前記タイヤ空気圧指示データを基礎として前記少なくとも１つのタイヤのタイヤ空気圧偏差状態を示すタイヤ空気圧偏差データを判定するステップと
前記車両の制御および／または監視デバイスによって供給される少なくとも１つの車両データを入手するステップと、
前記少なくとも１つの車両データを基礎として温度補償データを判定するステップと、
温度補償されたタイヤ空気圧偏差データが得られるように、前記温度補償データを基礎として温度補償するステップと、
前記温度補償データが事前定義の範囲外の温度状態を示す場合に、上記のステップのうちの少なくとも１つのステップを一時停止し、温度状態が前記事前定義の範囲に戻ったことを前記温度補償データが示す場合に、前記少なくとも１つのステップを再開するステップと
を実行するプログラム・コードを含む、
ことを特徴とするコンピュータ・プログラム。
【請求項６】
請求項５に記載のコンピュータ・プログラムであって、
処理システム上で実行されると、請求項２に記載のステップを実行するプログラム・コードを含むこと、及び／又は、
コンピュータ可読記憶媒体またはコンピュータ可読記憶デバイスに格納されること、
を特徴とするコンピュータ・プログラム。
【国際調査報告】
2010521684.tif 000005
2010521684.tif 000006